(57)【要約】【課題】質問に対する回答の集計と分析を複数の会場で行ない、各会場の参加者が各会場の回答の集計と分析のデータや結果を互いに共有できるようにする。【解決手段】サーバコンピュータと、複数の会場それぞれに備えられ、質問に対する回答信号を発信する複数の回答器、回答信号を受信する受信器、受信した回答信号を集計分析する回答信号集計分析器、集計分析データや結果および信号を前記サーバコンピュータに送信する送信手段、サーバコンピュータから他会場の回答集計分析装置の発したデータを受信する受信手段、および集計分析結果を表示する表示装置を有する回答集計分析装置と、これら複数の会場の回答集計分析装置とサーバコンピュータとの間を結ぶインターネット網を用い、複数の会場相互間で回答の集計と分析のデータの交換を行なう。【選択図】図１
2006113855.tif 000002
【特許請求の範囲】
【請求項１】
複数の会場において共通の質問項目に対し、複数の回答者から質問項目ごとに回答を得て、回答を集計し分析する回答集計分析システムであって、
サーバコンピュータと
前記複数の会場それぞれに備えられ、質問に対する回答信号を発信する複数の回答器、回答信号を受信する受信器、受信した回答信号を集計分析する回答信号集計分析器、集計分析データおよび信号を前記サーバコンピュータに送信する送信手段、前記サーバコンピュータから他会場の回答集計分析装置の発した集計分析データおよび信号を受信する受信手段、および集計分析結果を表示する表示装置を有する回答集計分析装置と、
これら複数の会場の回答集計分析装置とサーバコンピュータとの間を結ぶインターネット網とを備えたことを特徴とする回答集計分析システム。
【請求項２】
前記複数の会場の回答集計分析装置が、主会場に備えられた主回答集計分析装置と、従会場に備えられた従回答集計分析装置からなり、
前記主回答集計分析装置が、一質問に対する回答の受信と集計分析をスタートさせるスタート信号を発生して前記主会場の回答の受信と集計分析をスタートさせ前記スタート信号を前記サーバコンピュータに送信するスタート／送信手段と、前記一質問に対する回答の受信および集計分析をストップさせるストップ信号を発生して前記主会場の回答の受信と集計分析をストップさせ前記ストップ信号を前記サーバコンピュータに送信するストップ／送信手段とを有し、
前記従回答集計分析装置が、前記サーバコンピュータから前記スタート信号を受信し前記一質問に対する回答受信および集計分析をスタートさせる受信／スタート手段と、前記サーバコンピュータから前記ストップ信号を受信し回答受信および集計分析をストップさせる受信／ストップ手段とを有することを特徴とする請求項１記載の回答集計分析システム。
【請求項３】
前記回答集計分析装置が、前記サーバコンピュータから他会場毎質問項目毎の回答集計分析の進捗状況データを取得しモニター表示する他会場状況モニター表示手段と、前記他会場状況モニター表示手段による表示から任意に選択された会場と質問項目について前記サーバコンピュータからデータを取得し表示する他会場データ表示手段とを有することを特徴とする請求項１記載の回答集計分析システム。
【請求項４】
前記回答集計分析装置は、回答器の回答信号が、各回答器毎に与えられた時間区間内に複数個に区分された時間区分から回答に対応する時間区分を選択し、この選択した時間区分内に赤外光パルスを発生し送信するものであることを特徴とする請求項１〜３のいずれか１項記載の回答集計分析システム。
【請求項５】
複数の会場において共通の質問項目に対し、複数の回答者から質問項目ごとに回答を得て、回答を集計し分析する回答集計分析方法であって、サーバコンピュータと、前記複数の会場それぞれに備えられ、質問に対する回答信号を発信する複数の回答器、回答信号を受信する受信器、受信した回答信号を集計分析する回答信号集計分析器、集計分析データや結果および信号を前記サーバコンピュータに送信する送信手段、前記サーバコンピュータから他会場の回答集計分析装置の発したデータおよび信号を受信する受信手段、および集計分析結果を表示する表示装置を有する回答集計分析装置と、これら複数の会場の回答集計分析装置とサーバコンピュータとの間を結ぶインターネット網とを備えた回答集計分析システムを用い、前記複数会場のうちの一会場を主会場とし、他の各会場を従会場とし、主会場の回答集計分析装置を主回答集計分析装置、従会場の回答集計分析装置を従回答集計分析装置とし、一質問項目に対し、
前記主会場における前記主回答集計分析装置が、回答受信および集計分析をスタートするスタート信号を発生し、前記主会場における回答受信および集計分析をスタートし、前記スタート信号を前記サーバコンピュータに送信する各ステップ、
前記各従会場の従回答集計分析装置が、前記サーバコンピュータから前記スタート信号を取得し、各従会場において前記回答受信および集計分析をスタートする各ステップ、
前記主会場における前記主回答集計分析装置が、回答受信および集計分析をストップするストップ信号を発生し、前記主会場における回答受信および集計分析をストップし、前記主会場における回答集計分析のデータや結果と前記ストップ信号を前記サーバコンピュータに送信する各ステップ、
主会場の前記主回答集計分析装置が、サーバコンピュータから各会場の回答集計分析データや結果を取得し、各会場の回答の集計分析データに基づく表示用集計分析データを作成し、主会場にて表示し前記表示用集計分析データをサーバコンピュータに送信する各ステップ、
および前記従会場の従回答集計分析装置が、サーバコンピュータから前記表示用集計分析データを取得し、従会場において表示する各ステップ
を有することを特徴とする回答集計分析方法。
【請求項６】
複数の会場において共通の質問項目に対し、複数の回答者から質問項目ごとに回答を得て、回答を集計し分析する回答集計分析方法であって、サーバコンピュータと、前記複数の会場の各々に備えられ、質問に対する回答信号を発信する複数の回答器、回答信号を受信する受信器、受信した回答信号を集計分析する回答信号集計分析器、集計分析データや結果および信号を前記サーバコンピュータに送信する送信手段、前記サーバコンピュータから他会場の回答集計分析装置の発したデータおよび信号を受信する受信手段、および集計分析結果を表示する表示装置を有する回答集計分析装置と、これら複数の会場の回答集計分析装置とサーバコンピュータとの間を結ぶインターネット網とを備えた回答集計分析システムを用い、各会場において一質問項目に対し、
前記各々の回答集計分析装置が、それぞれに回答受信および集計分析をスタートし、それぞれに回答受信および集計分析をストップし、前記回答集計分析データや結果を表示し、前記サーバコンピュータに前記回答集計分析データや結果を送信し、前記サーバコンピュータから他会場の回答集計分析データや結果を取得し、取得した他会場の回答集計分析データや結果と自会場の回答集計分析データや結果とを総合し表示する各ステップ
を有することを特徴とする回答集計分析方法。
【発明の詳細な説明】
【技術分野】
【０００１】
本発明は複数の会場に集まった参加者から、共通の質問項目に対する回答を得て、これを集計し分析する回答集計分析システムおよび回答集計分析方法に関し、特に複数の会場の各々に設けられた回答集計分析装置をインターネットで接続し、回答集計分析データを相互に交換・利用することのできる回答集計分析システムおよび回答集計分析方法に関する。
【背景技術】
【０００２】
質問に対する回答信号を発信する複数の回答器と回答信号を受信する受信器および受信した回答信号を集計し分析処理する回答集計分析器を備えた回答集計分析装置は、さまざまな集会や催しなどの参加者からの質問に対する回答を集計分析する手段として有用である。このような回答集計分析装置の中でも、回答の集計分析結果やその集計分析の結果を参加者に直ちに示しながら、質問を重ねその回答を求めてゆくことのできる装置が、質問とその回答の内容を深めてゆくことができることから、特に有用である。
【０００３】
本発明者は、回答器と回答を受信する受信器との間の通信に赤外光を用いて無線化し、その通信方式を簡素化した回答集計分析装置（特許文献１）をすでに開発している。この回答集計分析装置は、比較的簡潔に回答集計分析装置が構成でき、装置の設置や撤去が簡便である上に、複数の回答を受信し集計分析処理する速度が速く、極めてわずかな待ち時間で集計分析結果を表示することができることから、今後多くの用途が期待されている。
【０００４】
最近では、アンケートに対する回答を収集する手段として、無線通信やインターネットを使用することが提案されている。例えば特許文献２には、イベント会場における情報収集システムとして、回答情報収集に際し近距離無線通信端末を介してユーザ携帯端末とアンケート情報に関するデータの送受信を行なうことにより、アンケートの回答者はインターネットなどを介して情報収集サーバにアクセスすることなく、アンケートの受信や回答を行なうことができ、回答者に通信費用などの負担をかけないアンケートの方法が記載されている。
【特許文献１】ＷＯ２００１／０７３６３０
【特許文献２】特開２００４−１７１４８６号公報
【発明の開示】
【発明が解決しようとする課題】
【０００５】
ところで、このような質問に対する回答の集計と分析を１つの会場で行なうだけでなく、複数の会場で同時に行なったり、あるいは司会者や参加者などの都合から日時を少々ずらして行なったりすることができることが望ましい。この場合の質問に対する回答の集計と分析は、各会場で独立して行うだけではなく、共通の質問項目について、各会場が互いの回答の集計や分析のデータや結果を交換し合うことができることが望ましい。このようにできれば、各会場の参加者は、共通の質問項目に対する回答の集計と分析のデータや結果を互いに共有し参照しながら、質問に対する回答を行なうことができるので、質問の内容をより深めることができ、またその回答についても、より質の高いものを得ることができる。
【０００６】
本発明は、共通の質問項目について複数の会場で参加者に質問を行ない、複数の会場の参加者からその回答を得て回答の集計と分析を行なう場合に、各会場の回答の集計と分析のデータや結果を会場間で相互に交換し合いながら質問を行ない、質問に対する回答を得ることができる回答集計分析システムを提供することを目的とする。
【課題を解決するための手段】
【０００７】
本発明の回答集計分析システムは、複数の会場において共通の質問項目に対し、複数の回答者から質問項目ごとに回答を得て、回答を集計し分析する回答集計分析システムであって、サーバコンピュータと、複数の会場それぞれに備えられ、質問に対する回答信号を発信する複数の回答器、回答信号を受信する受信器、受信した回答信号を集計分析する回答信号集計分析器、集計分析データおよび信号を送信する送信手段、サーバコンピュータから他会場の回答集計分析装置の発した集計分析データおよび信号を受信する受信手段、および集計分析結果を表示する表示装置を有する回答集計分析装置と、これら複数の会場の回答集計分析装置とサーバコンピュータとの間を結ぶインターネット網とを備えたことを特徴とする。
【０００８】
このようにして、本発明の回答集計分析システムにおいては、複数の会場毎の回答集計分析装置をインターネット網とサーバコンピュータを介して接続することにより、各会場においては、常に他会場の回答の集計と分析の最新結果を参照しながら質問を行ない、回答の集計分析を行なうことができる。即ち複数の会場毎の回答信号集計分析装置をインターネット網とサーバコンピュータを介して接続して用いることにより、各会場の司会者と参加者が１つの会場に集合した場合と同様の状況が実現できる。なお、上記において送受信されるデータおよび信号には、集計分析データ、スタート信号、ストップ信号、これらのデータ要求および信号要求が含まれる。
【０００９】
本発明の回答集計分析システムにおいては、複数の会場の回答集計分析装置が、主会場に備えられた主回答集計分析装置と、従会場に備えられた従回答集計分析装置とからなり、主回答集計分析装置が、一質問に対する回答の受信と集計分析をスタートさせるスタート信号を発生して主会場の回答の受信と集計分析をスタートさせ、このスタート信号を前記サーバコンピュータに送信するスタート／送信手段と、一質問に対する回答の受信および集計分析をストップさせるストップ信号を発生して主会場の回答の受信と集計分析をストップさせ、このストップ信号を前記サーバコンピュータに送信するストップ／送信手段とを有し、従回答集計分析装置が、サーバコンピュータからこのスタート信号を受信し一質問に対する回答受信および集計分析をスタートさせる受信／スタート手段と、サーバコンピュータからこのストップ信号を受信し回答受信および集計分析をストップさせる受信／ストップ手段とを備えることができる。
【００１０】
このようにすれば、複数の会場において、同一質問に対し、ほぼ同時に回答を得ることができる。すなわち、共通の質問項目について、複数の会場を同期させて質問を行いその質問に対する回答を得て、その結果を回答者や他の参加者に直ちにフィードバックしながら質問を重ねてゆくことができ、複数会場における質問／回答とその集計分析を円滑かつ効果的に進めることができる。
【００１１】
また本発明の回答集計分析システムでは、上記各会場の回答集計分析装置が、サーバコンピュータから他会場毎質問項目毎の回答集計分析の進捗状況データを取得しモニター表示する他会場状況モニター表示手段を有し、この他会場状況モニター表示手段に表示される他会場状況モニター表示から任意に選択された会場と質問項目についてサーバコンピュータからデータを取得し、それらを必要に応じて加工して表示する他会場データ表示手段とを有するようにすることができる。
【００１２】
このようにすれば、複数の会場における質問とその回答や回答の集計分析が、同時には進行しない場合、すなわち質問と質問に対する回答を非同期に行われる場合に、進捗状況表示手段を参照しつつ、必要な他会場の回答集計分析結果を利用することができる。
【００１３】
本発明の回答集計分析システムは、各会場の回答集計分析装置として、回答器の回答信号が、各回答器毎に与えられた時間区間内に複数個に区分された時間区分から回答に対応する時間区分を選択し、この選択した時間区分内に赤外光パルスを発生し送信するものを好ましく用いることができる。
【００１４】
この回答信号の送信方式を有する回答集計分析装置を用いることにより、比較的簡潔に回答集計分析装置を構成でき、装置の設置や撤去が簡便であり、多数の回答を一斉に受信し集計分析処理する速度が速く、極めてわずかな待ち時間で集計分析結果を表示することができる。
【００１５】
本発明の第１の回答集計分析方法は、複数の会場において共通の質問項目に対し、複数の回答者から質問項目ごとに回答を得て、回答を集計し分析する回答集計分析方法であって、サーバコンピュータと、複数の会場それぞれに備えられ、質問に対する回答信号を発信する複数の回答器、回答信号を受信する受信器、受信した回答信号を集計分析する回答信号集計分析器、集計分析データや結果および信号をサーバコンピュータに送信する送信手段、サーバコンピュータから他会場の回答集計分析装置の発したデータおよび信号を受信する受信手段、および集計分析結果を表示する表示装置を有する回答集計分析装置と、これら複数の会場の回答集計分析装置とサーバコンピュータとの間を結ぶインターネット網とを備えた回答集計分析システムを用い、複数会場のうちの一会場を主会場とし、他の各会場を従会場とし、主会場の回答集計分析装置を主回答集計分析装置、従会場の回答集計分析装置を従回答集計分析装置とし、一質問項目に対し、主会場における前記主回答集計分析装置が、回答受信および集計分析をスタートするスタート信号を発生し、主会場における回答受信および集計分析をスタートし、前記スタート信号を前記サーバコンピュータに送信する各ステップ、各従会場の従回答集計分析装置が、サーバコンピュータからスタート信号を取得し、各従会場において回答受信および集計分析をスタートする各ステップ、主会場における主回答集計分析装置が、回答受信および集計分析をストップするストップ信号を発生し、主会場における回答受信および集計分析をストップし、主会場における回答集計分析のデータや結果をサーバコンピュータに送信し、ストップ信号をサーバコンピュータに送信する各ステップ、主会場の前記主回答集計分析装置が、サーバコンピュータから各会場の回答集計分析データや結果を取得し、各会場の回答の集計分析データに基づく表示用集計分析データを作成し、主会場にて表示し表示用集計分析データをサーバコンピュータに送信する各ステップ、および従会場の従回答集計分析装置が、サーバコンピュータから表示用集計分析データを取得し、従会場において表示する各ステップを有することを特徴とする。
【００１６】
この回答集計分析方法によれば、複数の会場において、同じ質問に対し、ほぼ同時に回答を得ることができる。すなわち、共通の質問項目について、複数の会場で同期させて質問を行いかつ質問に対する回答を得、これを集計し分析し、全会場の議事進行を並行的に調和させて行うことができる。
【００１７】
また本発明の第２の回答集計分析方法は、複数の会場において共通の質問項目に対し、複数の回答者から質問項目ごとに回答を得て、回答を集計し分析する回答集計分析方法であって、サーバコンピュータと、複数の会場それぞれに備えられ、質問に対する回答信号を発信する複数の回答器、回答信号を受信する受信器、受信した回答信号を集計分析する回答信号集計分析器、集計分析データや結果および信号をサーバコンピュータに送信する送信手段、サーバコンピュータから他会場の回答集計分析装置の発したデータおよび信号を受信する受信手段、および集計分析結果を表示する表示装置を有する回答集計分析装置と、これら複数の会場の回答集計分析装置とサーバコンピュータとの間を結ぶインターネット網とを備えた回答集計分析システムを用い、各会場において一質問項目に対し、各々の回答集計分析装置が、それぞれに回答受信および集計分析をスタートし、それぞれに回答受信および集計分析をストップし、回答集計分析データや結果を表示し、サーバコンピュータに回答集計分析データや結果を送信し、サーバコンピュータから他会場の回答集計分析データや結果を取得し、取得した他会場の回答集計分析データや結果と自会場の回答集計分析データや結果と総合し表示する各ステップを有することを特徴とする。
【００１８】
このようにすれば、複数の会場の議事進行、すなわち質問とその回答及び回答の集計分析の進行が、同時でない場合、つまり質問と質問に対する回答を非同期にした場合にも、進捗状況表示手段を使用して他会場の必要な回答集計分析結果を参照しながら、質問と質問に対する回答の収集と集計分析を進めることができる。
【発明の効果】
【００１９】
本発明により、複数の会場で参加者に質問を行ない、複数の会場の参加者からその回答を得て回答の集計と分析を行なう場合に、各会場の回答の集計と分析のデータや結果を会場間で相互に交換し参照し合うことができ、各会場の参加者があたかも１つの会場に集合した場合と同様の状況で質問に対する回答の集計分析が可能となり、質問と質問に対する回答の内容を深めることの可能な回答集計分析システムが提供できるようになった。
【００２０】
また、司会者や講演者の数的あるいは質的な制約、時差や交通問題、などの事情から、開催日時を分けて行った方がよい場合でも、既に実施された会場での回答の集計分析結果やデータを各会場で参照することができ、各会場の地域差や参加者の違いによるアンケート結果の相違なども参考にしながら効果的な質問とそれに対する回答の集計分析が可能となり、調査や議事の内容を深めることの可能な回答集計分析システムが提供できるようになった。
【発明を実施するための最良の形態】
【００２１】
次に図面を参照しながら、本発明の実施の形態について述べる。
【００２２】
（実施の形態１）システムの構成
図１は本発明の一実施形態の回答集計分析システム１００を模式的に示したブロック図である。図１に示されているように、第１会場〜第ｎ会場の各会場の回答集計分析装置１１０には、複数の参加者がそれぞれに回答信号を送信する複数の回答器１２０、複数の回答者からの複数の回答信号を受信する回答信号受信器１３０、回答信号を集計し分析する回答信号集計分析器１４０および表示装置１５０を備えている。
【００２３】
これら第１会場〜第ｎ会場の各会場の回答集計分析装置１１０は、インターネット網１６０を通じサーバコンピュータ１７０に接続され、データの交換ができるように構成されている。
【００２４】
（実施の形態２）同期式
図２は、上記回答集計分析システム１００を用い、複数の会場で同時進行にて同じ質問を行ない、その回答の集計分析をほぼ同時に行なって、その結果を回答者や他の参加者にフィードバックしながら質問を重ねてゆく回答集計分析方式（以下、同期式と略称する）について、そのプロセスをフローチャートで示したものである。
【００２５】
図２において、第１会場の回答集計分析装置２１０が主回答集計分析装置、第ｎ会場の回答集計分析装置２１１が従回答集計分析装置であり、これらが共にインターネット網を通じてサーバコンピュータ２１２に接続されている。
【００２６】
まず、主回答集計分析装置である第１会場の回答集計分析装置２１０のプログラム立ち上げ２２０の後、オペレーター操作により集計分析作業をスタートさせる集計分析スタート２２１がなされ、他会場向けスタート信号２２２が、予めプログラム立ち上げ２２３のなされたサーバコンピュータ２１２に送られる。同様にプログラム立ち上げ２２４のなされた従回答集計分析装置である第ｎ会場の回答集計分析装置２１１が、サーバコンピュータ２１２にスタート信号要求２２５を行なうと、サーバコンピュータ２１２は先のスタート信号２２２に基づいてスタート信号２２６を第ｎ会場の回答集計分析装置２１１に配信する。回答集計分析装置２１１は、スタート信号受取２２７にてスタート信号の受取を確認すると、集計分析スタート２２８に入り、回答の受信とその集計分析を行なう。
【００２７】
次に第１会場の回答集計分析装置２１０が集計分析ストップ２２９に入ると、ストップ信号２３０がサーバコンピュータ２１２に送られ、ストップ信号要求２３１でこれを監視していた第ｎ会場の回答集計分析装置２１１は、この信号を第１会場の回答集計分析装置２１０からの指示であるストップ信号２３２として受け取り、ストップ信号有無２３３にてＹ（あり）と判断して集計分析ストップ２３４にて、回答受信および集計分析を停止する。
【００２８】
第１会場の回答集計分析装置２１０および第ｎ会場の回答集計分析装置２１１は、それぞれに自会場集計分析２３５および２３６を行ない、それぞれに表示装置にて表示するとともに、これらのデータをサーバコンピュータ２１２に第１会場データ２３７および第ｎ会場データ２３８として送る。
【００２９】
次に第１会場の回答集計分析装置２１０は、サーバコンピュータ２１２に対し他会場データ要求２３９を行ない、サーバコンピュータ２１２は第ｎ会場など各従会場から受信していた各会場の第ｎ会場（自会場）データ２３８を他会場データ２４２として第１会場の回答集計分析装置２１０に送る。第１会場の回答集計分析装置２１０は、他会場データ取得２４３にて他会場データの取得を確認すると、データ演算集計分析２４４にて、これら取得したデータを必要に応じて第１会場データ、他会場データ、およびそれらを組み合わせた全会場データ等に加工し、各会場表示用集計分析データ２４５として、サーバコンピュータ２１２に送る。  他方、第ｎ会場の回答集計分析装置２１１は、サーバコンピュータ２１２に対し他会場集計分析データ要求２４６を行い、他会場集計分析データ２４７を得る。
【００３０】
続いて第１会場の回答集計分析装置２１０は、表示のスタート信号を指示する表示スタート信号２４８をサーバコンピュータ２１２に送るとともに、自会場データ／他会場データ／全会場データ表示２４９にて、自会場データ、他会場データおよび全会場データ等の表示を行なう。第ｎ会場の回答集計分析装置２１１は、他会場集計分析データ取得２５０にて他会場集計分析データの取得を確認すると、サーバコンピュータ２１２に対し各会場集計分析データの表示要求２５１を行なって、サーバコンピュータ２１２から、各会場集計分析データの表示スタート信号２５２得る。第ｎ会場の回答集計分析装置２１１は、表示スタート２５３にて、各会場集計分析データの表示スタート信号の取得を確認すると、それに従って自会場データ／他会場データ／全会場データ表示２５４にて、自会場データ、他会場データおよび全会場データ等の表示を行なう。
【００３１】
このようにして、第１会場と第ｎ会場の異なる複数会場にて、１つの質問に対する回答を同時進行的に取得・集計し、結果を比較したり総合したりするとともに、それらを表示して参照することができる。図２に示したフローチャートは１つの質問に対する回答の取得と集計分析を示したものであり、質問を積み重ねてゆく場合には、このようにして得られた結果を踏まえた上で、同様の手順により、再び集計分析スタート２２１から次の質問を進めてゆくことができる。
【００３２】
なお、ここでは簡単のため、従回答集計分析装置が１個の場合の図を示したが、従回答集計分析装置が２個以上の場合についても同様である。
【００３３】
（実施の形態３）非同期式
次に図３には、個々の質問に対する回答を同時に得ることにこだわらない場合（非同期式）について、作業の概要をフローチャートで示したものである。図３において、第１会場の回答集計分析装置３１０と第ｎ会場の回答集計分析装置３１１とは同等であり、基本的にフローチャートは同じであって、共にサーバコンピュータ３１２を通じて他の会場の回答集計分析装置３１１とデータのやり取りをするものである。
【００３４】
そこで第１会場の回答集計分析装置３１０のフローチャートについて説明すると、第１会場の回答集計分析装置３１０はまず、プログラム立ち上げ３０１の後、集計分析スタート３１３にて回答の集計分析を行ない、回答受付をストップし集計分析をストップする集計分析ストップ３１４の後、回答を集計分析した結果を集計分析表示３１５にて表示する。この集計分析データはデータ配信３１６にて、予めプログラム立ち上げ３０１のなされたサーバコンピュータ３１２に送られる。
【００３５】
続いて第１会場の回答集計分析装置３１０は、サーバコンピュータ３１２に他会場状況データ要求３１８を行ない、他会場状況データ３１９を得る。第１会場の回答集計分析装置３１０は、他会場データ参照３２０にて、他会場の進捗状況をモニター画面にてレビューし、他会場データ要求３２１をサーバコンピュータ３１２に対して行ない、他会場データ３２２を得る。
【００３６】
次に他会場データモニタ処理３２３にて、モニター画面に他会場のデータを表示して必要な分析や表示形式の変更などを行い、必要に応じて各種集計分析表示３２４にて表示画面に表示する。
【００３７】
第ｎ会場の回答集計分析装置３１１のフローチャートは第１会場の回答集計分析装置３１０のフローチャートと全く同じである。
【００３８】
図３に示したフローチャートは１つの質問に対する回答の取得と集計分析・表示を示したものであり、質問を積み重ねてゆく場合には、このようにして得られた結果を踏まえた上で、同様の手順により、再び集計分析スタート３１３から次の質問を進めてゆくことができる。このようにして回答集計分析システム１００により、他会場のデータを参照しながら、質問を進め、回答の集計分析を行なうことができる。
【００３９】
（実施の形態４）赤外通信を用いた回答集計分析装置
本発明の回答集計分析システムに用いる各会場の回答集計分析装置は、インターネットを通じ、回答集計分析データや結果のやり取りができるものであれば、どのようなものであってもよい。本発明者らがすでに開発し、特許文献１に詳述されている赤外光通信を用いた回答集計分析装置は、多数の回答器を使用でき、しかも多数の回答器からの回答を迅速に受信し集計分析処理することができることから、本発明の回答集計分析システムの各会場にて使用する回答集計分析装置として、特に適したものであることがわかった。
【００４０】
図４は、このような赤外光通信を用いた回答集計分析装置の構成の一実施形態を示したものである。図４において、回答集計分析装置１１０は、回答信号受信器１３０、回答集計分析器１４０および表示装置を有するセンター装置１６０と、複数個の回答器１２０とが、赤外光による通信で結合されている。
【００４１】
センター装置１６０の回答信号受信器１３０は、複数の回答器１２０の各々に対し回答を発信させるために必要な指令信号を発生するとともに受信された複数の回答器１２０の各々からの回答信号を各種処理用に例えばＡＳＣＩＩコードなどの信号に信号変換する回答器向信号発生／受信信号変換器１３１と、回答器向信号発生／受信信号変換器１３１が発生した複数の回答器１２０の各々に向けた指令信号を赤外光に変換して投光するとともに、複数の回答器１２０の各々からの赤外光による回答信号を受光する投受光器１３２を有している。
【００４２】
複数の回答器１２０の各々は、質問に対する回答を入力する回答入力部１２１と、入力された回答を保存しセンター装置からの指令信号に従って投光を制御する制御部１２２と、センター装置の投受光器からの指令信号を受光する受光部１２３と、指令信号に従った制御部１２２からの回答信号を赤外光としてセンター装置に対し投光する投光部１２４を有している。この制御部１２２には、回答器１２０のＩＤ番号が付与されている。
【００４３】
この回答集計分析装置１１０では、センター装置１６０は、複数の回答器１２０の各々からそれぞれの回答信号を得るために、このようにしてセンター装置１６０と複数の回答器１２０との間で相互に送受信が行われる構成となっている。即ち、センター装置１６０は、複数の回答器１２０の各々から指令に応じて個別に回答信号を得るために、ＩＤ番号で区別される複数の回答器１２０の各々に対し、指令に応じて個別に回答を発信するために必要な指令信号を発し、複数の回答器１２０の各々は、このセンター装置１６０からの指令に従って回答信号を発信する。この結果、複数の回答器１２０の各々からの回答信号を区別して効率よく迅速に受信することができる。
【００４４】
図５は上記図４におけるセンタ―装置１６０と回答器１２０との間の信号のやり取りを示した図である。図４における回答集計分析に関する指令は、回答集計分析器１４０を構成するコンピュータから行われる。このコンピュータからスタートがかかると、センター側から回答器１２０に対し、指令信号として図５の（ａ）に示したパルス列が送信される。
【００４５】
図５において、パルスの幅は５００ｎｓと一定であり、各パルスには時間軸上の位置に対応した意味を持たせている。図５（ａ）において、最初に励起信号５０１、次に一質問の集計分析の起点となるフレーム同期信号５０２を出す。このフレーム同期信号を起点に、その後のパルスの時間軸上位置により一質問の集計分析を管理する。
【００４６】
次の指令信号５０３でこれから行う回答の選択肢や回答の個数、または回答器１２０の保全確認など回答器１２０が応答すべき内容を指定する。続いて送信される回答用同期パルスが各回答器１２０の回答区間５０４を時間軸上に区切っていく。例えば一回に５個の質問に対し各１０個の選択肢を持つ、あるいは１０進５桁の数字回答を求める構成の場合、５０μｓの回答区間を５個づつ持つ回答期間５０５を各回答器１２０ごとに設定する。そして、この回答期間の順番を回答器１２０のＩＤに対応させている。
【００４７】
例えばＩＤ番号２３４の回答器１２０は、一連の回答用同期パルスを計数して２３４番目の回答期間を知り、回答者がキー入力した回答信号をこの期間内に赤外線パルスとして発信する。この場合、一つの回答期間内の５個の回答区間には図５（ｂ）のように仮想的に０〜９の１０個の回答用窓が設定されている。回答信号は回答内容に応じてその１０個の窓のどれか一つの位置で発信され、意味づけられる。例えば図５（ｃ）に示されているように、回答器１２０からは回答パルス５０６が発信される。
【００４８】
センター装置１６０は、全ての回答器１２０からの回答信号を受信しつつ、その信号の時間軸位置から回答を発した回答器１２０のＩＤと回答内容を読み取り集計分析する。このような手順で、センター側から送られた一連のパルス列に反応した多数の回答器１２０からの回答信号が極めて高速に受信・集計分析される。なお、各回答器１２０はこのようにごく僅かのパルスしか発信しないので、５０ｍ先に到達するような高出力の赤外光信号を発信しても消費電力は極めて少なく内蔵電池で長時間作動する。
【００４９】
このような構成の回答集計分析装置１１０を各会場に配置して、これらをインターネットで結ぶことにより、各会場に回答者が多くいても応答が速いため待ち時間が問題にならず円滑に動作する、優れた回答集計分析システム１００が構成できることがわかった。
【産業上の利用可能性】
【００５０】
本発明によれば、複数の会場で質問に対する回答の集計分析を行なう際に、各会場間で集計分析の結果やデータ交換をほぼ同時に行なったり、他会場の回答の集計分析結果を参照しながら質問を行い、自会場の回答を得る様にすることもできる。このため、回答者が１つの会場に集まらなくても、地域ごとに集まるだけで、回答者が１つの会場に集まった場合と同様に意見交換したり、地域や参加者層の差異を比較検証しながら議論を進めたりすることが可能になるなど、より深い内容の調査や分析ができる。このため、本発明の回答集計分析システムは、産業の多くの分野において、その利用可能性は大であると期待される。
【図面の簡単な説明】
【００５１】
【図１】本発明の一実施形態の回答集計分析システムを模式的に示したブロック図である。
【図２】本発明の一実施形態の回答集計分析システムを用い、複数の会場で同時進行的に同じ質問を行ない、その回答の集計分析を同時に行なって、その結果を回答者や他の参加者にフィードバックしながら質問を重ねてゆく同期式の回答集計分析方式について、そのプロセスをフローチャートで示したものである。
【図３】本発明の一実施形態の回答集計分析システムを用い、個々の質問に対する回答を同時に得ることにこだわらない非同期式により、その結果を回答者や他の参加者にフィードバックしながら質問を重ねてゆく回答集計分析方式について、そのプロセスをフローチャートで示したものである。
【図４】本発明の回答集計分析システムに適した赤外光通信を用いた回答集計分析装置の構成の一例を示したものである。
【図５】図４におけるセンタ―装置と回答器との間の信号のやり取りを示した図である。
【符号の説明】
【００５２】
１００…回答集計分析システム、１１０…回答集計分析装置、１２０…回答器、１２１…回答入力部、１２２…制御部、１２３…受光部、１２４…投光部、１３０…回答信号受信器、１３１…回答器向信号発生／受信信号変換器、１３２…投受光器、１４０…回答集計分析器、１５０…表示装置、１６０…インターネット網、１７０…サーバコンピュータ、２１０…第１会場の回答集計分析装置、２１１…第ｎ会場の回答集計分析装置、２１２…サーバコンピュータ、２２０…プログラム立ち上げ、２２１…集計分析スタート、２２２…スタート信号、２２３…プログラム立ち上げ、２２４…プログラム立ち上げ、２２５…スタート信号要求、２２６…スタート信号、２２７…スタート信号受取、２２８…集計分析スタート、２２９…集計分析ストップ、２３０…ストップ信号、２３１…ストップ信号要求、２３２…ストップ信号、２３３…ストップ信号有無、２３４…集計分析ストップ、２３５…自会場集計分析、２３６…自会場集計分析、２３７…第１会場データ、２３８…第ｎ会場データ、２３９…他会場データ要求、２４２…他会場データ、２４３…他会場データ取得、２４４…データ演算集計分析、２４５…各会場表示用集計分析データ、２４６…他会場集計分析データ要求、２４７…他会場集計分析データ、２４８…表示スタート信号、２４９…自会場データ／他会場データ／全会場データ表示、２５０…他会場集計分析データ取得、２５１…各会場集計分析データの表示要求、２５２…各会場集計分析データの表示スタート信号、２５３…表示スタート、２５４…自会場データ／他会場データ／全会場データ表示、３０１…プログラム立ち上げ、３１０…第１会場の回答集計分析装置、３１１…第ｎ会場の回答集計分析装置、３１２…サーバコンピュータ、３１３…集計分析スタート、３１４…集計分析ストップ、３１５…集計分析表示、３１６…データ配信、３１８…他会場データ要求、３１９…他会場データ、３２０…他会場データ参照、３２１…他会場データ要求、３２２…他会場データ、３２３…各種累計表示、３２４…各種集計分析会場表示、５０１…励起信号、５０２…フレーム同期信号、５０３…指令信号、５０４…回答区間、５０５…回答期間、５０６…回答パルス。
【図１】
2006113855.tif 000003
【図２】
2006113855.tif 000004
【図３】
2006113855.tif 000005
【図４】
2006113855.tif 000006
【図５】
2006113855.tif 000007